(57)【要約】【課題】  所望の内容の処理を行わせることが，既存の複合機よりも容易に行える複合機を、提供する。【解決手段】  所定仕様のＩＣタグを所持したユーザが近づいた場合、ＩＣタグリーダ２４によって、当該ＩＣタグ内の情報が読み出され、ユーザがスタートボタン２２を押下しさえすれば、当該ＩＣタグ内に記憶されていた情報に応じた内容の処理が行われる状態となるように、複合機１０を構成しておく。また、複合機１０を、ＩＣタグ内の情報を書き換える機能を有する装置としておく。【選択図】  図２
2006060679.tif 000002
【特許請求の範囲】
【請求項１】
与えられた処理条件規定情報に応じた内容の処理を実行する処理実行手段と、
通信可能範囲内に存在する所定仕様のＩＣタグから、前記処理条件規定情報を読み出すことと、前記ＩＣタグ内に記憶されている処理条件規定情報を変更することが可能なＩＣタグ利用手段と、
前記ＩＣタグ利用手段によって読み出された前記処理条件規定情報に対する変更指示をユーザから受け付け、受け付けた変更指示に応じた内容のものに前記処理条件規定情報を変更する機能と、前記処理実行手段の動作開始指示をユーザから受け付ける機能とを有するユーザ・インタフェース手段と、
前記ユーザ・インタフェース手段により前記動作開始指示が受け付けられたときに、その時点における前記処理条件規定情報に応じた内容の処理を前記処理実行手段に実行させる処理内容制御手段と、
その時点における前記処理条件規定情報を前記ＩＣタグ利用手段を用いて前記ＩＣタグ内に記憶させることが可能な処理条件規定情報変更手段と
を備えることを特徴とする複合機。
【請求項２】
前記処理実行手段が、複数種類の処理のそれぞれを実行可能な手段であり、
前記ＩＣタグが、前記複数種類の処理のそれぞれについて処理条件規定情報を記憶したものであり、
前記ユーザ・インタフェース手段が、前記ＩＣタグ利用手段によって読み出された複数種類の処理条件規定情報のそれぞれに対する変更指示をユーザから受け付け、受け付けた変更指示に応じた内容のものに各処理条件規定情報を変更する機能と、いずれの処理条件規定情報を利用すべきかについての指示と、前記処理実行手段の動作開始指示とを、ユーザから受け付ける機能とを有する手段であり、
前記処理内容制御手段が、前記ユーザ・インタフェース手段により前記動作開始指示が受け付けられたときに、利用すべきものとして指示されている，その時点における前記処理条件規定情報に応じた内容の処理を前記処理実行手段に実行させる手段である
ことを特徴とする請求項１記載の複合機。
【請求項３】
前記処理実行手段が、少なくとも、コピー処理と、原稿を画像データ化して送信する処理とを、実行可能な手段である
ことを特徴とする請求項２記載の複合機。
【発明の詳細な説明】
【技術分野】
【０００１】
本発明は、複合機に関する。
【背景技術】
【０００２】
周知のように、近年、市販されている一般的な複合機の中には、ユーザ別に，コピー条件を規定する情報やＦＡＸの宛先に関する情報等を登録できる装置と、装置単位で（全てのユーザが使用可能な情報として）、コピー条件を規定する情報等を登録できる装置（例えば、特許文献１参照。）とが、存在している。そして、いずれのタイプの複合機も、登録可能な情報の種類や数が極めて多い装置（高機能な装置）として構成されている。このため、いずれのタイプの複合機における，登録した情報を利用するためにユーザが行わなければならない操作の内容も、結構、煩雑なものとなっている。
【特許文献１】特開平１１−３３１４４６号公報
【発明の開示】
【発明が解決しようとする課題】
【０００３】
そこで、本発明の課題は、所望の内容の処理を行わせることが，既存の複合機よりも容易に行える複合機を、提供することにある。
【課題を解決するための手段】
【０００４】
上記課題を解決するために、本発明の複合機は、与えられた処理条件規定情報に応じた内容の処理を実行する処理実行手段と、通信可能範囲内に存在する所定仕様のＩＣタグから、前記処理条件規定情報を読み出すことと、前記ＩＣタグ内に記憶されている処理条件規定情報を変更することが可能なＩＣタグ利用手段と、前記ＩＣタグ利用手段によって読み出された前記処理条件規定情報に対する変更指示をユーザから受け付け、受け付けた変更指示に応じた内容のものに前記処理条件規定情報を変更する機能と、前記処理実行手段の動作開始指示をユーザから受け付ける機能とを有するユーザ・インタフェース手段と、前記ユーザ・インタフェース手段により前記動作開始指示が受け付けられたときに、その時点における前記処理条件規定情報に応じた内容の処理を前記処理実行手段に実行させる処理内容制御手段と、その時点における前記処理条件規定情報を前記ＩＣタグ利用手段を用いて前記ＩＣタグ内に記憶させることが可能な処理条件規定情報変更手段とを備える。
【０００５】
すなわち、本発明の複合機は、所定仕様のＩＣタグを所持したユーザが近づいた場合（ユーザが複合機のＩＣタグ利用手段に近づいた結果、当該ユーザが所持している所定仕様のＩＣタグがＩＣタグ利用手段の通信可能範囲内に入った場合）、ユーザが動作開始指示を出しさえすれば、当該ＩＣタグ内に記憶されている処理条件規定情報に応じた内容の処理が行われる構成を有する。また、本発明の複合機は、ユーザ・インタフェース手段を利用して変更した内容の処理条件規定情報をＩＣタグ内に記憶する機能（処理条件規定情報変更手段）も有する。従って、本発明の複合機は、所望の内容の処理を行わせることが，既存の複合機よりも容易に行える複合機となっていると言うことが出来る。また、本発明の複合機を、複数の事業所／オフィス内の各所に配置しておけば、各ユーザ（ＩＣタグを所持しているもの）が、各複合機を容易に利用できる作業環境（いずれの複合機を利用する際にも、いつも通りの条件で使用するための設定作業が不要な作業環境）を、実現できることにもなる。
【０００６】
本発明の複合機を実現するに際しては、処理実行手段を、複数種類の処理のそれぞれを実行可能な手段とし、ＩＣタグを、前記複数種類の処理のそれぞれについて処理条件規定情報を記憶したものとし、ユーザ・インタフェース手段を、前記ＩＣタグ利用手段によって読み出された複数種類の処理条件規定情報のそれぞれに対する変更指示をユーザから受け付け、受け付けた変更指示に応じた内容のものに各処理条件規定情報を変更する機能と、いずれの処理条件規定情報を利用すべきかについての指示と、前記処理実行手段の動作開始指示とを、ユーザから受け付ける機能とを有する手段とし、処理内容制御手段を、前記ユーザ・インタフェース手段により前記動作開始指示が受け付けられたときに、利用すべきものとして指示されている，その時点における前記処理条件規定情報に応じた内容の処理を前記処理実行手段に実行させる手段としておくことが出来る。また、この場合、処理実行手段を、少なくとも、コピー処理と、原稿を画像データ化して送信する処理とを、実行可能な手段としておくことが出来る。
【発明を実施するための最良の形態】
【０００７】
以下、本発明を実施するための最良の形態を、図面を参照して詳細に説明する。
【０００８】
まず、図１〜図３を用いて、本発明の一実施形態に係る複合機１０の概要（主として構成）を、説明する。
【０００９】
図１に示してあるように、本実施形態に係る複合機１０は、コピーユニット１１とスキャナ１２とプリンタ１３とＦＡＸユニット１４とが組み合わされた装置である。
【００１０】
この複合機１０に用いられているプリンタ１３は、単独で(コピーユニット１１と接続しなくても)、コンピュータの周辺機器として使用可能な機器である。スキャナ１２も、単独で、コンピュータの周辺機器として使用可能な機器である。ＦＡＸユニット１４は、ＦＡＸの送受信を行うためのユニットである。
【００１１】
コピーユニット１１は、複合機１０を、コピー機能，ＦＡＸ機能，スキャンメール機能，スキャンファイル機能を有する装置として動作させるユニットである。なお、スキャンメール機能とは、スキャナ１２にセットされた原稿の画像データファイルを添付したＥメール（以下、スキャンメールと表記する）を送信する機能のことであり、スキャンファイル機能とは、スキャナ１２にセットされた原稿の画像データファイル（以下、スキャンファイルと表記する）を，複合機１０とＬＡＮ接続されたコンピュータ内へ保存する機能のことである。
【００１２】
このコピーユニット１１は、ＣＰＵ，ＲＯＭ，ＲＡＭ，ＥＥＰＲＯＭ等からなる一種のコンピュータである。また、コピーユニット１１は、図２に示したように、その筐体上面に、スタートボタン２２，テンキー等の各種押しボタンスイッチやタッチスクリーン２１が設けられ、その筐体前面に、対物センサ２３及びＩＣタグリーダ２４が設けられたユニットとなっている。
【００１３】
コピーユニット１１に設けられている対物センサ２３は、コピーユニット１１の前方にユーザが立ったことを検出するための赤外線センサである。ＩＣタグリーダ２４は、複合機１０の各ユーザに配布される複合機用ＩＣタグに対するリード／ライトを行うための機器である。
【００１４】
そして、複合機１０の各ユーザに配布される複合機用ＩＣタグは、図３に模式的に示してあるように、メーカーコード，機種コード，表示画面指定情報，コピー条件情報，ジョブメモリ情報，表示ＦＡＸ先情報，ＦＡＸ条件情報，ＦＡＸ先リスト情報，表示スキャン先情報，スキャン条件情報，スキャン先リスト情報を記憶したものとなっている。
【００１５】
この複合機用ＩＣタグに記憶されている各情報の意味（用途）等についての説明は、コピーユニット１１の動作と関連づけた形で後ほど行うが、複合機用ＩＣタグに記憶されているメーカーコード，機種コードは、それぞれ、複合機１０のメーカー，機種を表す，複合機１０によって書き換えられることがない情報となっている。一方、メーカーコード，機種コードを除く各情報は、複合機１０によって書き換えられることがある情報となっている。また、本実施形態は、この複合機用ＩＣタグに記憶されているコピー条件情報，ＦＡＸ条件情報，スキャン条件情報が，本発明における処理条件規定情報に、ほぼ、相当するものとなっている。
【００１６】
次に、本実施形態に係る複合機１０の動作を、説明する。
【００１７】
コピーユニット１１は、複合機１０の電源が投入されると、各部の状態をチェックする処理等を行った後に、一般ユーザ用のものとして管理している（自ユニット内に保持している）コピー条件情報，ジョブメモリ情報，ＦＡＸ条件情報，ＦＡＸ先リスト情報，スキャン条件情報，スキャン先リスト情報等に基づくタッチスクリーン制御処理を、開始する。
【００１８】
コピーユニット１１が実行するタッチスクリーン制御処理は、上記した各種情報を利用／参照して、ユーザの指示（タッチスクリーン２１或いはコピーユニット１１上に設けられている各種押しボタンスイッチに対する操作内容）に応じた画面をタッチスクリーン２１上へ表示する処理，ユーザが指示した内容のものに上記した各種情報を変更する処理等が並行的に行われる処理である。
【００１９】
なお、コピー条件情報とは、タッチスクリーン制御処理によりタッチスクリーン２１上に表示されることがある図４(Ａ)に示したコピー機能基本画面３１の内容（反転表示するボタンの種類）を定める情報であると共に、スタートボタン２２の押下時に、その内容に応じた処理をコピーユニット１１が開始することになる情報のことである。このコピー条件情報は、コピー機能基本画面３１が操作されたことを検出したタッチスクリーン制御処理によりその内容が変更される情報ともなっている。ジョブメモリ情報とは、タッチスクリーン２１に対して所定手順の操作を行うことによりコピー条件情報とすることが出来る幾つかの情報の集合（タッチスクリーン制御処理がジョブメモリ選択画面表示時等に利用する情報）のことである。
【００２０】
ＦＡＸ条件情報とは、図４(Ｂ)に示したＦＡＸ機能基本画面３２の内容を定める情報であると共に、このＦＡＸ機能基本画面３２を操作することによりその内容が変更される情報のことである。ＦＡＸ先リスト情報とは、ＦＡＸ機能基本画面３２上の短縮選択ボタン／グループ選択ボタンの押下により表示されるＦＡＸ送信先選択画面の内容を定める情報（ＦＡＸ番号，グループ化されたＦＡＸ番号等を含む情報）のことである。スキャン条件情報とは、図４(Ｃ)に示したスキャン機能基本画面３３の内容を定める情報であると共に、スキャン機能基本画面３３の操作によりその内容が変更される情報のことである。スキャン先リスト情報とは、スキャン機能基本画面３３上のスキャン先ボタン（“メール：−未選択−”、“サーバ：−未選択−”と示されている部分）の押下により表示されるスキャン先選択画面の内容を定める情報（メールアドレス，フォルダ名等を含む情報）のことである。
【００２１】
なお、各基本画面上に設けられているコピーボタン４１，ＦＡＸボタン４２，メール送信・ファイル生成ボタン４３(反転表示されていないもの)は、その押下を検出したタッチスクリーン制御処理により、それぞれ、コピー機能基本画面３１，ＦＡＸ機能基本画面３２，スキャン機能基本画面３３がタッチスクリーン２１上に表示されることになるボタンである。
【００２２】
また、タッチスクリーン制御処理を開始したコピーユニット１１は、対物センサ２３が規定時間以上連続してユーザの存在を検出しつづけるというイベントの発生を監視する処理も、開始する。
【００２３】
そして、当該イベントの発生を検出した場合、コピーユニット１１は、図５にその手順を示してあるユーザ確認処理を、実行する。
【００２４】
すなわち、上記イベントの発生を検出した場合、コピーユニット１１は、ＩＣタグリーダ２４を制御することにより、ＩＣタグリーダ２４の通信可能範囲内に複合機用ＩＣタグ（図３参照）が存在するか否かを判断する(ステップＳ１０１)。そして、コピーユニット１１は、ＩＣタグリーダ２４の通信可能範囲内に複合機用ＩＣタグが存在していなかった場合(ステップＳ１０１；ＮＯ)には、特に処理を行うことなく、このユーザ確認処理を終了する。
【００２５】
一方、ＩＣタグリーダ２４の通信可能範囲内に複合機用ＩＣタグが存在していた場合(ステップＳ１０１；ＹＥＳ)、コピーユニット１１は、ＩＣタグリーダ２４を制御することにより、複合機用ＩＣタグから、メーカーコード及び機種コードを読み出す処理(ステップＳ１０２)を行う。そして、コピーユニット１１は、読み出したメーカーコード及び機種コードが、自機種用のものであるか否かを判断(ステップＳ１０３)し、両コードが自機種用のものでなかった場合(ステップＳ１０３；ＮＯ)には、ＩＣタグ非適合通知処理(ステップＳ１０４)を実行する。
【００２６】
このＩＣタグ非適合通知処理時、コピーユニット１１は、図６に示した内容の画面をタッチスクリーン２１上に表示することにより、ユーザに、所持している複合機用ＩＣタグが自機種用のものではないことを通知する。そして、コピーユニット１１は、この画面上の“ＯＫ”ボタンが押下されたときに、ＩＣタグ非適合通知処理(ステップＳ１０４)及びユーザ確認処理（図５）を終了する。
【００２７】
また、コピーユニット１１は、複合機用ＩＣタグから読み出したメーカーコード及び機種コードが、自機種用のものであった場合(ステップＳ１０３；ＹＥＳ)には、図７に示した状況提示画面をタッチスクリーン２１上に表示した上で、複合機用ＩＣタグから、未読出の各種情報（表示画面指定情報、コピー条件情報等；図３参照）を読み出す処理(ステップＳ１０５)を開始する。そして、コピーユニット１１は、複合機用ＩＣタグからの情報の読み出しが完了する前に、状況提示画面上の“キャンセル”ボタンが押下された場合（図示せず）には、状況提示画面をタッチスクリーン２１上から消去した上で、ステップＳ１０５の処理及びユーザ確認処理を終了する。また、コピーユニット１１は、状況提示画面上の“キャンセル”ボタンが押下されることなく、複合機用ＩＣタグからの情報の読み出しが完了した場合には、状況提示画面をタッチスクリーン２１上から消去した後にステップＳ１０５の処理を終了する。そして、コピーユニット１１は、操作環境変更処理(ステップＳ１０６)を実行する。
【００２８】
この操作環境変更処理は、タッチスクリーン制御処理を、ボタン４１〜４３（図４参照）押下時に、複合機用ＩＣタグから読み出した各条件情報（コピー／ＦＡＸ／スキャン条件情報）に応じた内容の各基本画面（コピー機能基本画面３１，ＦＡＸ機能基本画面３２又はスキャン機能基本画面３３）がタッチスクリーン２１上に表示される処理であると共に、一般ユーザ用のものではなく、複合機用ＩＣタグから読み出したジョブメモリ情報，ＦＡＸ先リスト情報，スキャン先リスト情報を利用する処理として機能させるための処理である。また、操作環境変更処理は、タッチスクリーン制御処理に、複合機用ＩＣタグから読み出した表示画面指定情報が示している種類の基本画面をタッチスクリーン２１上に表示させる処理ともなっている。さらに、操作環境変更処理は、タッチスクリーン制御処理を、表示ＦＡＸ先情報に応じた情報がＦＡＸの送信先として示されたＦＡＸ機能基本画面３２、表示スキャン先情報に応じた情報がスキャンメールの送信先及び／或いはスキャンファイルの保存先として示されたスキャン機能基本画面３３を表示する処理として機能させる処理となっている。
【００２９】
そして、このような内容の操作環境変更処理を行ったコピーユニット１１は、ユーザ確認処理を終了する。
【００３０】
要するに、本実施形態に係るコピーユニット１１と複合機用ＩＣタグとは、複合機用ＩＣタグを所持したユーザがコピーユニット１１の前に立った場合、当該複合機用ＩＣタグ内に記憶されていた表示画面指定情報にて指定される種類の、当該複合機用ＩＣタグ内に記憶されていたコピー条件情報等に応じた内容の基本画面が、タッチスクリーン２１上に表示されるように、構成されている。また、コピーユニット１１と複合機用ＩＣタグとは、宛先の設定が必要な基本画面（ＦＡＸ機能基本画面３２、スキャン機能基本画面３３）に関しては、図８に例示したようなもの（宛先（図では、スキャン先）が設定済みのもの）が表示されるようにも、構成されている。
【００３１】
さらに、コピーユニット１１は、複合機用ＩＣタグ内に記憶されていた情報に基づく動作を行っている最中に、複合機用ＩＣタグ内の情報の変更を要する操作が行われたとき、図９に示したタグ内情報変更処理を実行するようにも、構成されている。
【００３２】
なお、複合機用ＩＣタグ内の情報の変更を要する処理が行われたときとは、表示画面指定情報，コピー条件情報，表示ＦＡＸ先情報，ＦＡＸ条件情報，表示スキャン先情報，スキャン条件情報に関しては、複合機用ＩＣタグ内に記憶されていたものとは各情報が異なる状態（例えば、複合機用ＩＣタグ内に記憶されていた表示画面指定情報にて指定される種類の基本画面とは異なる基本画面が表示されている状態，複合機用ＩＣタグ内に記憶されていた表示ＦＡＸ先情報が示している宛先とは異なる宛先が指定された状態等）でスタートボタン２２が押下されたときのことである。また、ジョブメモリ情報，ＦＡＸ先リスト情報、スキャン先リスト情報に関しては、各情報を変更する作業の完了が指示されたときのことである。
【００３３】
すなわち、複合機用ＩＣタグ内の情報の変更を要する操作が行われたとき、コピーユニット１１は、情報変更要否問い合わせ処理(ステップＳ２０１)を実行する。
【００３４】
この情報変更要否問い合わせ処理時、コピーユニット１１は、図１０に示した構成の確認画面をタッチスクリーン２１上に表示する。次いで、コピーユニット１１は、この確認画面上の“登録する”ボタン或いは“登録しない”ボタンが押下されるのを待機する状態となる。そして、コピーユニット１１は、いずれかのボタンが押下されたときに、確認画面をタッチスクリーン２１上から消去した上で、情報変更要否問い合わせ処理を終了する。
【００３５】
その後、コピーユニット１１は、“登録しない”ボタンの押下により情報変更要否問い合わせ処理を終了していた場合(ステップＳ２０２；登録しない)には、タグ内情報変更処理を終了する。一方、“登録する”ボタンの押下により情報変更要否問い合わせ処理を終了していた場合(ステップＳ２０２；登録する)、コピーユニット１１は、ＩＣタグリーダ２４を制御することにより、複合機用ＩＣタグ内の，変更を要する情報を実際に変更する処理(ステップＳ２０３)を行う。
【００３６】
すなわち、コピーユニット１１は、このステップＳ２０３において、複合機用ＩＣタグ内の表示画面指定情報を、その時点においてタッチスクリーン２１上に表示している基本画面の種類を表す情報に変更する処理や、複合機用ＩＣタグ内の条件情報（コピー条件情報、ＦＡＸ条件情報、スキャン条件情報）を、表示中の基本画面（コピー機能基本画面３１、ＦＡＸ機能基本画面３２、スキャン機能基本画面３３）の表示内容に応じたものに変更する処理や、複合機用ＩＣタグ内の表示ＦＡＸ先情報を、ＦＡＸを実際に送信した相手を示す情報に変更する処理，複合機用ＩＣタグ内の表示スキャン先情報を、スキャンメールを送信した相手及び／或いはスキャンファイルを保存したフォルダを示す情報に変更する処理等を、行う。
【００３７】
このような処理をステップＳ２０３にて行ったコピーユニット１１は、タグ内情報変更処理を終了する。そして、コピーユニット１１は、当該タグ内情報変更処理がスタートボタン２２が押下されたため実行したものであった場合には、コピーを生成するための処理，ＦＡＸを送信するための処理等を開始し、当該タグ内情報変更処理がジョブメモリ情報等が変更されたため実行したものであった場合には、タッチスクリーン２１上にいずれかの基本画面を表示する処理を、行う。
【００３８】
以上の説明から明らかなように、本実施形態に係る複合機１０は、タッチスクリーン２１上に、それを利用しようとしたユーザが所持している複合機用ＩＣタグ内に記憶されている各種情報に応じた内容の画面が表示される装置となっている。また、複合機１０は、複合機用ＩＣタグを所持しているユーザがそれを利用しようとしてコピーユニット１１の前に立てば、前回、複合機１０を利用して行った作業と同内容の作業を、スタートボタン２２の押下により開始できる装置ともなっている。従って、本複合機１０は、既存の複合機よりも、ユーザが各種の作業を容易に行える装置となっていると言うことが出来る。
【００３９】
さらに、複合機用ＩＣタグは、複数台の複合機１０に対して共通して使用可能なものとなっている。このため、複合機１０を、複数の事業所／オフィス内の各所に配置しておけば、各ユーザ（複合機用ＩＣタグを所持しているもの）が、各複合機１０を容易に利用できる作業環境（いずれの複合機１０を利用する際にも、いつも通りの条件で使用するための設定作業が不要な作業環境）を、実現できることになる。
【００４０】
＜変形形態＞
上記した複合機１０は、各種の変形が可能である。例えば、複合機用ＩＣタグ内の，表示画面指定情報，コピー条件情報等の変更が、スタートボタン２２の押下時ではなく、コピー等が完了した後に行われるように、複合機１０を変形することが出来る。また、複合機用ＩＣタグ内の情報の変更のみを行うための機能（実際に、コピー等を行わなくても、コピー条件情報等を変更できる機能）を、複合機１０に付加しておいても良い。
【００４１】
また、複合機１０を、複合機用ＩＣタグを所持していないユーザが利用できない装置，複合機用ＩＣタグに記憶される情報の種類が上記したものとは異なる装置、上記したものとは異なる構成の画面を表示する複合機，実装されている機能の数／種類が異なる複合機等に、変形しても良いことは、当然のことである。
【図面の簡単な説明】
【００４２】
【図１】本発明の一実施形態に係る複合機の構成の説明図。
【図２】実施形態に係る複合機の外観図。
【図３】実施形態に係る複合機の各ユーザに配布される複合機用ＩＣタグに記憶されている情報の説明図。
【図４】実施形態に係る複合機のタッチスクリーン上に表示される基本画面の説明図。
【図５】実施形態に係る複合機にて実行されるユーザ確認処理の流れ図。
【図６】ユーザ確認処理時にタッチスクリーン上に表示されることがある画面の説明図。
【図７】ユーザ確認処理時にタッチスクリーン上に表示されることがある状況提示画面の説明図。
【図８】ユーザ確認処理後にタッチスクリーン上に表示される基本画面の一例を示した図。
【図９】実施形態に係る複合機にて実行されるタグ内情報変更処理の流れ図。
【図１０】タグ内情報変更処理時にタッチスクリーン上に表示される確認画面の説明図。
【符号の説明】
【００４３】
１０  複合機、１１  コピーユニット、１２  スキャナ、１３  プリンタ、
１４  ＦＡＸユニット、２１  タッチスクリーン、２２  スタートボタン、
２３  対物センサ、  ２４  ＩＣタグリーダ
３１  コピー機能基本画面、３２  ＦＡＸ機能基本画面、３３  スキャン機能基本画面、
４１  コピーボタン、４２  ＦＡＸボタン、４３  メール送信・ファイル生成ボタン
【図１】
2006060679.tif 000003
【図２】
2006060679.tif 000004
【図３】
2006060679.tif 000005
【図４】
2006060679.tif 000006
【図５】
2006060679.tif 000007
【図６】
2006060679.tif 000008
【図７】
2006060679.tif 000009
【図８】
2006060679.tif 000010
【図９】
2006060679.tif 000011
【図１０】
2006060679.tif 000012